(57)【要約】【課題】テレビ共同視聴設備の改修を行なう場合に、容易に改修し得ると共に改修費用を低減し得るＣＡＴＶ用増幅装置を提供する。【解決手段】７７０ＭＨｚの広帯域の下り増幅器１５の入力側に第１の双方向フィルタ１６を設けると共に、出力側に第２の双方向フィルタ１７を設け、片方向増幅器１０を構成する。上記第１の双方向フィルタ１６にＣＡＴＶ下り入力端子／上り出力端子１１及び上り増幅器接続端子１３を接続し、第２の双方向フィルタ１７にＣＡＴＶ下り出力端子／上り入力端子１２及び上り増幅器接続端子１４を接続する。そして、上記上り増幅器接続端子１３、１４間に必要に応じて上り増幅器２０の出力端子２１及び入力端子２２を接続して双方向増幅器とする。【選択図】    図３
2004200874.tif 000002
【特許請求の範囲】
【請求項１】
下り増幅器に上り増幅器接続端子を設け、該上り増幅器接続端子に上り増幅器を接続することにより、双方向増幅器となるように構成したことを特徴とするＣＡＴＶ用増幅装置。
【請求項２】
ＣＡＴＶ下り入力端子／上り出力端子と、
ＣＡＴＶ下り出力端子／上り入力端子と、
前記ＣＡＴＶ下り入力端子／上り出力端子に入力される下り信号を増幅し、前記ＣＡＴＶ下り出力端子／上り入力端子に出力する下り増幅器と、
上り増幅器の入力端子を接続するための第１の上り増幅器接続端子と、
前記上り増幅器の出力力端子を接続するための第２の上り増幅器接続端子と、前記ＣＡＴＶ下り入力端子／上り出力端子と下り増幅器との間に設けられ、前記ＣＡＴＶ下り入力端子／上り出力端子に外部入力される下り信号を前記下り増幅器に入力し、前記第２の上り増幅器接続端子に外部入力される上り信号を前記ＣＡＴＶ下り入力端子／上り出力端子に出力する第１の双方向フィルタと、
前記下り増幅器とＣＡＴＶ下り出力端子／上り入力端子との間に設けられ、前記下り増幅器により増幅された下り信号を前記ＣＡＴＶ下り出力端子／上り入力端子に出力し、該ＣＡＴＶ下り出力端子／上り入力端子に外部入力される上り信号を前記第１の上り増幅器接続端子に出力する第２の双方向フィルタと
を具備したことを特徴とするＣＡＴＶ用増幅装置。
【請求項３】
前記第１及び第２の上り増幅器接続端子間に上り増幅器を接続して双方向増幅器を構成したことを特徴とする請求項２記載のＣＡＴＶ用増幅装置。
【請求項４】
増幅装置のケース上面に上り増幅器装着用の凹部を形成すると共に、該凹部内に上り増幅器接続端子を設けたことを特徴とする請求項１又は２記載のＣＡＴＶ用増幅装置。
【発明の詳細な説明】
【０００１】
【発明の属する技術分野】
本発明は、集合住宅におけるテレビ共同視聴設備に用いられるＣＡＴＶ用増幅装置に関する。
【０００２】
【従来の技術】
従来、集合住宅におけるテレビ共同視聴設備は、図６に示す直列方式、あるいは図７に示す幹線分岐方式が用いられている。
【０００３】
図６に示す直列方式は、ヘッドエンド装置（図示せず）からＣＡＴＶ線路１を介して送られてくるＴＶ信号を下りの片方向増幅器２で増幅し、その増幅したＴＶ信号を分配器３で分配して集合住宅の各階に導き、各家庭に設けられているＴＶ端子４に供給する。上記直列方式は、比較的小規模の集合住宅で、各家庭に１つ程のＴＶ端子４が設けられる場合に用いられる。
【０００４】
図７に示す幹線分岐方式は、ヘッドエンド装置（図示せず）からＣＡＴＶ線路１を介して送られてくるＴＶ信号を下りの片方向増幅器２で増幅し、その増幅された信号を分岐器５で複数に分岐する。この分岐器５で分岐された各ＴＶ信号をそれぞれ片方向増幅器６で増幅した後、集合住宅の各階に導いて各系統毎に分岐器７で複数に分岐し、各家庭に設けられている複数のＴＶ端子４、例えば各室毎に設けられているＴＶ端子４に供給する。上記幹線分岐方式は、大規模の集合住宅で、各家庭に複数のＴＶ端子４が設けられる場合に用いられる。
【０００５】
一方、最近では、衛星放送の増加、更には今後の実施が予定されている地上波テレビ放送のデジタル化等によりチャンネル数が増加している。上記テレビジョン放送のチャンネル増加に伴い、テレビ共同視聴設備では、改修によって広帯域化、例えば７０ＭＨｚ〜４５０ＭＨｚの帯域の持つ下り増幅器を７０ＭＨｚ〜７７０ＭＨｚの帯域を持つ下り増幅器に置き換えて広帯域化している。更に、テレビ共同視聴設備の改修に際しては、ケーブルインターネットシステムの導入に備え、下り信号だけでなく上り信号も伝送できるように双方向化を進めている。
【０００６】
しかし、テレビ共同視聴設備の改修に際して全て双方向化を行なっている訳ではなく、金銭的な問題から幹線は双方向化しても、住棟内増幅器は片方向のまま下りチャンネルのみの拡張に終わっているケースも多い。このような施設において、将来双方向化する場合は、一度４５０ＭＨｚから７７０ＭＨｚに変更した増幅器を更に双方向増幅器に置き換える必要がある。
【０００７】
すなわち、従来のテレビ共同視聴設備の改修方法においては、図８に示すように住棟内に設けられている４５０ＭＨｚの狭帯域の片方向増幅器２（６）を先ず７７０ＭＨｚの広帯域の片方向増幅器２Ａに置き換え、その後、双方向化が必要となった場合に上記片方向増幅器２Ａを７７０ＭＨｚの双方向増幅器２Ｂに置き換えている。
【０００８】
従来の双方向増幅器は、最初から双方向用に固定した構成となっており、片方向増幅器を簡単に双方向用に変更できる構成とはなっていない（例えば、特許文献１参照。）。
【０００９】
【特許文献１】
特開平７−２２２１３６号公報
【００１０】
【発明が解決しようとする課題】
上記のようにテレビ共同視聴設備の改修を行なう場合に、一気に双方向化するのでは無く、４５０ＭＨｚの片方向増幅器２（６）に代えて７７０ＭＨｚの片方向増幅器２Ａを取り付け、その後、双方向化が必要となった場合に片方向増幅器２Ａを７７０ＭＨｚの双方向増幅器２Ｂに置き換える方法では、改修の度に増幅器を交換しなければならず、改修費用が高価になるという問題がある。
【００１１】
本発明は上記の課題を解決するためになされたもので、テレビ共同視聴設備の改修を行なう場合に、一度狭帯域の片方向増幅器に代えて広帯域の片方向増幅器を取り付け、その後、双方向化する場合においても、容易にシステムを改修し得ると共に改修費用を低減し得るＣＡＴＶ用増幅装置を提供することを目的とする。
【００１２】
【課題を解決するための手段】
本発明に係るＣＡＴＶ用増幅装置は、下り増幅器に上り増幅器接続端子を設け、該上り増幅器接続端子に上り増幅器を接続することにより、双方向増幅器となるように構成したことを特徴とする。具体的には、ＣＡＴＶ下り入力端子／上り出力端子と、ＣＡＴＶ下り出力端子／上り入力端子と、前記ＣＡＴＶ下り入力端子／上り出力端子に入力される下り信号を増幅し、前記ＣＡＴＶ下り出力端子／上り入力端子に出力する下り増幅器と、上り増幅器の入力端子を接続するための第１の上り増幅器接続端子と、前記上り増幅器の出力力端子を接続するための第２の上り増幅器接続端子と、前記ＣＡＴＶ下り入力端子／上り出力端子と下り増幅器との間に設けられ、前記ＣＡＴＶ下り入力端子／上り出力端子に外部入力される下り信号を前記下り増幅器に入力し、前記第２の上り増幅器接続端子に外部入力される上り信号を前記ＣＡＴＶ下り入力端子／上り出力端子に出力する第１の双方向フィルタと、前記下り増幅器とＣＡＴＶ下り出力端子／上り入力端子との間に設けられ、前記下り増幅器により増幅された下り信号を前記ＣＡＴＶ下り出力端子／上り入力端子に出力し、該ＣＡＴＶ下り出力端子／上り入力端子に外部入力される上り信号を前記第１の上り増幅器接続端子に出力する第２の双方向フィルタとを具備したことを特徴とする。
【００１３】
上記の構成によれば、テレビ共同視聴設備の改修に際し、一度狭帯域の片方向増幅器に代えて広帯域の片方向増幅器を取り付け、その後、ケーブルインターネットシステムの導入に備えて双方向化する場合においても、容易にシステムを改修し得ると共に改修費用を低減することができる。
【００１４】
【発明の実施の形態】
以下、図面を参照して本発明の一実施形態を説明する。
【００１５】
図１は、本発明の一実施形態に係るＣＡＴＶ用増幅装置を使用したテレビ共同視聴設備の改修方法を示したものである。
【００１６】
テレビ共同視聴設備を改修する場合に、先ず、図１（ａ）に示す従来の約７０〜４５０ＭＨｚの帯域を有する狭帯域の片方向増幅器２を図１（ｂ）に示すように約７０ＭＨｚ〜７７０ＭＨｚの帯域を有する広帯域の片方向増幅器１０に置き換える。この片方向増幅器１０は、ＣＡＴＶ下り入力端子／上り出力端子１１、ＣＡＴＶ下り出力端子／上り入力端子１２を備えると共に、上り増幅器接続端子１３、１４を備えており、この上り増幅器接続端子１３、１４に上り増幅器を接続することにより、双方向増幅器となるように構成している。上記片方向増幅器１０については詳細を後述する。
【００１７】
上記のように従来の４５０ＭＨｚの片方向増幅器２を７７０ＭＨｚの片方向増幅器１０に置き換えることにより広帯域化でき、チャンネルの増加に対応することができる。
【００１８】
そして、ケーブルインターネットシステムの導入により、上記テレビジョン共同視聴設備を更に改修して双方向化する場合には、図１（ｃ）に示すように上記片方向増幅器１０の上り増幅器接続端子１３、１４間に上り信号を増幅する上り増幅器２０の出力端子２１と入力端子２２を接続して双方向増幅器を構成する。上記上り増幅器２０は、例えば約１０ＭＨｚ〜５５ＭＨｚの帯域を有している。
【００１９】
上記のように７７０ＭＨｚの片方向増幅器１０に対して上り増幅器２０を接続することにより、簡単に双方向増幅器を構成でき、ケーブルインターネットシステムに対応することができる。
【００２０】
図２は、上記片方向増幅器１０の詳細な構成を示すブロック図である。片方向増幅器１０は、７７０ＭＨｚの広帯域の下り増幅器１５の入力側に第１の双方向フィルタ１６を設けると共に出力側に第２の双方向フィルタ１７を設けている。そして、第１の双方向フィルタ１６にＣＡＴＶ下り入力端子／上り出力端子１１及び上り増幅器接続端子１３を接続し、第２の双方向フィルタ１７にＣＡＴＶ下り出力端子／上り入力端子１２及び上り増幅器接続端子１４を接続する。そして、上記上り増幅器接続端子１３、１４間に図３に示すように必要に応じて上り増幅器２０の出力端子２１及び入力端子２２を接続し、双方向増幅器とする。
【００２１】
上記片方向増幅器１０に設けられる第１の双方向フィルタ１６は、ＣＡＴＶ下り入力端子／上り出力端子１１に入力される下り信号を下り増幅器１５に出力すると共に、上り増幅器２０から出力される上り信号をＣＡＴＶ下り入力端子／上り出力端子１１へ出力する。
【００２２】
また、第２の双方向フィルタ１７は、下り増幅器１５で増幅された下り信号をＣＡＴＶ下り出力端子／上り入力端子１２へ出力すると共に、端末ユニット（図示せず）からＣＡＴＶ下り出力端子／上り入力端子１２に入力される上り信号を上り増幅器接続端子１４へ出力する。
【００２３】
図４は、上記片方向増幅器１０及び上り増幅器２０の外観構成例を示したものである。片方向増幅器１０は、ケース１８の前面或いは後面にＣＡＴＶ下り入力端子／上り出力端子１１、ＣＡＴＶ下り出力端子／上り入力端子１２及び上り増幅器接続端子１３、１４を設けている。一方、上り増幅器２０においても、ケース２５の前面或いは後面に出力端子２１及び入力端子２２を設けている。
【００２４】
そして、片方向増幅器１０に上り増幅器２０を接続する場合、片方向増幅器１０の上り増幅器接続端子１３、１４と上り増幅器２０の出力端子２１及び入力端子２２との間を同軸ケーブル２６ａ、２６ｂを介してコネクタにより接続している。
【００２５】
上記のように片方向増幅器１０と上り増幅器２０との間は、同軸ケーブル２６ａ、２６ｂを用いて簡単に接続することができる。
【００２６】
図５は、上記片方向増幅器１０及び上り増幅器２０の他の外観構成例を示したものである。
【００２７】
片方向増幅器１０は、ケース１８の前面或いは後面にＣＡＴＶ下り入力端子／上り出力端子１１及びＣＡＴＶ下り出力端子／上り入力端子１２を設けている。また、上記ケース１８の上面に上り増幅器２０を装着するための凹部１９を設け、この凹部１９内に上り増幅器接続端子１３、１４を設けている。
【００２８】
一方、上り増幅器２０は、ケース２５の下面に出力端子２１及び入力端子２２を設ける。この場合、出力端子２１及び入力端子２２は、片方向増幅器１０の上り増幅器接続端子１３、１４に対応する位置に設けている。上記出力端子２１及び入力端子２２は、例えば片方向増幅器１０の上り増幅器接続端子１３、１４の内側に挿入されることによって両者が接続されるようになっている。また、上り増幅器２０のケース２５は、片方向増幅器１０の凹部１９内に収まる大きさに形成する。
【００２９】
そして、片方向増幅器１０に上り増幅器２０を接続する場合、片方向増幅器１０の凹部１９内に上り増幅器２０を装着する。この場合、上り増幅器２０の出力端子２１及び入力端子２２と片方向増幅器１０の上り増幅器接続端子１３、１４の位置を合わせ、上り増幅器２０を上から押さえることにより、出力端子２１及び入力端子２２を上り増幅器接続端子１３、１４内に挿入して両者を接続する。
【００３０】
上記図５に示した例では、片方向増幅器１０のケース１８に設けた凹部１９内に上り増幅器２０を装着するだけで両者を接続でき、きわめて簡単に双方向増幅器とすることができる。従って、テレビジョン共同視聴設備を片方向増幅器１０から双方向増幅器への改修をきわめて迅速に行なうことができ、かつ、増幅器を交換する必要がないので、改修費用の低減化を図ることができる。
【００３１】
【発明の効果】
以上詳記したように本発明によれば、広帯域の片方向増幅器にＣＡＴＶ下り入力端子／上り出力端子、及びＣＡＴＶ下り出力端子／上り入力端子を設けると共に上り増幅器接続端子を設け、この上り増幅器接続端子に上り増幅器を接続することにより双方向増幅器を構成するようにしているので、テレビ共同視聴設備の改修に際し、一度狭帯域の片方向増幅器に代えて広帯域の片方向増幅器を取り付け、その後、双方向化する場合においても、容易にシステムを改修し得ると共に改修費用を低減することができる。
【図面の簡単な説明】
【図１】本発明の一実施形態に係るＣＡＴＶ用増幅装置を使用したテレビ共同視聴設備の改修方法を示す図。
【図２】同実施形態における片方向増幅器の詳細な構成を示すブロック図。
【図３】同実施形態における片方向増幅器に上り増幅器を接続して双方向増幅器を構成した場合の構成を示すブロック図。
【図４】同実施形態における片方向増幅器及び上り増幅器の外観構成例を示す図。
【図５】同実施形態における片方向増幅器及び上り増幅器の他の外観構成例を示す図。
【図６】従来の直列方式によるテレビ共同視聴設備の構成を示す図。
【図７】従来の幹線分岐方式によるテレビ共同視聴設備の構成を示す図。
【図８】従来のＣＡＴＶ用増幅装置を使用したテレビ共同視聴設備の改修方法を示す図。
【符号の説明】
１…ＣＡＴＶ線路
２…片方向増幅器
３…分配器
４…ＴＶ端子
５…分岐器
６…片方向増幅器
７…分岐器
１０…片方向増幅器
１１…ＣＡＴＶ下り入力端子／上り出力端子
１２…ＣＡＴＶ下り出力端子／上り入力端子
１３、１４…上り増幅器接続端子
１５…下り増幅器
１６…第１の双方向フィルタ
１７…第２の双方向フィルタ
１８…ケース
１９…凹部
２０…上り増幅器
２１…出力端子
２２…入力端子
２５…ケース
２６ａ、２６ｂ…同軸ケーブル
【図１】
2004200874.tif 000003
【図２】
2004200874.tif 000004
【図３】
2004200874.tif 000005
【図４】
2004200874.tif 000006
【図５】
2004200874.tif 000007
【図６】
2004200874.tif 000008
【図７】
2004200874.tif 000009
【図８】
2004200874.tif 000010